(57)【要約】【課題】空間の空気調和と同時に、大空間の空気の除菌が可能な空気調和装置を提供する。【解決手段】機械室１３の利用側ユニット１５に隣接させて空気除菌装置本体１２０を床置きし、利用側ユニット１５の天面１５ａの吹出口２３から吹き出される調和空気を空気除菌装置本体１２０の天面２４ａから空気除菌装置本体１２０内に導き、空気除菌装置本体で除菌して、供給配管２９に供給自在とした。【選択図】図２
2010236742.tif 000002
【特許請求の範囲】
【請求項１】
大空間の店舗に隣接して機械室を備え、該機械室内に空気調和機を床置きし、該空気調和機の天面の吹出口に調和空気の供給配管を接続し、該供給配管を店舗内の高所に配置することで、該店舗内の高所から、調和空気を店舗内に吹き出して空気調和する空気調和装置において、
前記機械室の前記空気調和機に隣接させて空気除菌装置を床置きし、前記空気調和機の天面の吹出口から吹き出される調和空気を前記空気除菌装置の天面から該空気除菌装置内に導き、該空気除菌装置で除菌して、前記供給配管に供給自在としたことを特徴とする空気調和装置。
【請求項２】
前記空気除菌装置は、筐体内にひな壇状に気液接触部材を配置し、筐体の天面の一端に前記空気調和機の調和空気を導入するための吸込開口を備え、天面の他端に前記気液接触部材を通過して除菌した空気を前記供給配管に吹き出す吹出開口を備えたことを特徴とする請求項１に記載の空気調和装置。
【請求項３】
前記店舗内の空気を前記店舗外へ導出すると共に、前記店舗外の空気を前記店舗内へ導入する換気手段を備え、
前記機械室に、前記換気手段によって前記店舗外へ排気される空気と、前記店舗内へ導入される空気との間で熱交換を行う全熱交換ユニットを設けたことを特徴とする請求項１又は２に記載の空気調和装置。
【発明の詳細な説明】
【技術分野】
【０００１】
本発明は、除菌した調和空気を大空間の店舗に供給して空気調和する空気調和装置に関する。
【背景技術】
【０００２】
従来、大空間を空気調和可能な空気調和機が知られている（例えば、特許文献１参照）。この種の空気調和機では、空気調和機の天面の吹出口に調和空気の供給配管を接続し、該供給配管を店舗内の高所に配置することで、該店舗内の高所から、調和空気を店舗内に吹き出して空気調和する空気調和機が知られている。
ここで、店舗が例えばパチンコホールなどの遊技場であった場合、店舗内の換気が特に重要になり、この場合には、全熱交換器などを用いて、外気を内気で暖めて、店舗内に導入するなどの提案がなされている。
【特許文献１】特開２００５−２４９３６２号公報
【発明の開示】
【発明が解決しようとする課題】
【０００３】
しかしながら、近年では、とくに遊技場等にあって、換気空調のみならず、ホール内の大空間を除菌したいとするニーズがある。
本発明は、上述した事情に鑑みてなされたものであり、大空間の空気調和と同時に、大空間の空気の除菌が可能な空気調和装置を提供することを目的とする。
【課題を解決するための手段】
【０００４】
上記目的を達成するために、本発明は、大空間の店舗に隣接して機械室を備え、該機械室内に空気調和機を床置きし、該空気調和機の天面の吹出口に調和空気の供給配管を接続し、該供給配管を店舗内の高所に配置することで、該店舗内の高所から、調和空気を店舗内に吹き出して空気調和する店舗用空気調和装置において、前記機械室の前記空気調和機に隣接させて空気除菌装置を床置きし、前記空気調和機の天面の吹出口から吹き出される調和空気を前記空気除菌装置の天面から該空気除菌装置内に導き、該空気除菌装置で除菌して、前記供給配管に供給自在としたことを特徴とする。
この構成によれば、空気除菌装置によって除菌した調和空気を大空間の店舗に供給することが可能となり、大空間の空気調和と同時に、大空間の空気の除菌が可能となる。
【０００５】
ここで、上記発明の空気調和装置において、前記空気除菌装置は、筐体内にひな壇状に気液接触部材を配置し、筐体の天面の一端に前記空気調和機の調和空気を導入するための吸込開口を備え、天面の他端に前記気液接触部材を通過して除菌した空気を前記供給配管に吹き出す吹出開口を備えたようにしてもよい。
この構成によれば、調和空気の効率的な除菌が可能となる。
【０００６】
また、上記発明の空気調和装置において、前記店舗内の空気を前記店舗外へ導出すると共に、前記店舗外の空気を前記店舗内へ導入する換気手段を備え、前記機械室に、前記換気手段によって前記店舗外へ排気される空気と、前記店舗内へ導入される空気との間で熱交換を行う全熱交換ユニットを設けたようにしてもよい。
この構成によれば、店舗の換気の実行中、全熱交換ユニットによって、空調負荷を軽減し、効率のよい空気調和を実現することができる。
【発明の効果】
【０００７】
本発明によれば、空気除菌装置によって除菌した調和空気を大空間の店舗に供給することが可能となり、大空間の空気調和と同時に、大空間の空気の除菌が可能となる。
【発明を実施するための最良の形態】
【０００８】
以下、図面を参照して本発明の実施の形態について説明する。
図１は、空気調和装置１０の構成を示す図であり、図２は、図１において機械室１３を拡大した図である。
本実施形態に係る空気調和装置１０は、大空間の店舗たるパチンコホール１１を空気調和する装置である。
パチンコホール１１には、遊技機１２が配置されており、この遊技機１２で遊技する多数の人間が出入りする。また、パチンコホール１１は、ホール内で喫煙することが可能となっている。これを踏まえ、本実施形態に係る空気調和装置１０は、パチンコホール１１の空気調和を行う機能の他、パチンコホール１１の換気を適切に行うと共に、パチンコホール１１の空気の除菌を行う機能を備えている。
【０００９】
パチンコホール１１の隣には、機械室１３が設けられている。パチンコホール１１と機械室１３とは仕切壁１４によって仕切られている。
機械室１３には、パチンコホール１１に供給する調和空気を生成する利用側ユニット１５（空気調和機）が床１６に床置きされて配置されている。このように利用側ユニット１５が機械室１３の床１６に床置きされているため、作業者は、利用側ユニット１５の各種メンテナンスを容易に行うことができる。利用側ユニット１５は、熱交換器１７及びファン１８を備えており、利用側ユニット１５に導入された空気は、ファン１８によって、熱交換器１７を通過し、この熱交換器１７によって冷却又は加熱される。
この熱交換器１７は、図示せぬ熱源側ユニットと接続されており、冷房運転時は蒸発器として機能することにより利用側ユニット１５に導入された空気を冷却し、暖房運転時は凝縮器として機能することにより利用側ユニット１５に導入された空気を加熱する。
【００１０】
利用側ユニット１５に隣接して、タバコの煙を含む塵埃を除去するための集塵ユニット１９が配置されており、この集塵ユニット１９と利用側ユニット１５とがダクト２０を介して接続されている。また、利用側ユニット１５の上方には、調和空気導出用チャンバー２１が設けられており、この調和空気導出用チャンバー２１と利用側ユニット１５とがダクト２２を介して接続されている。このダクト２２の利用側ユニット１５側の一端２２ａは、利用側ユニット１５の天面１５ａに形成された吹出口２３（図２）に接続されている。
【００１１】
利用側ユニット１５の隣には、利用側ユニット１５が導出した調和空気を除菌する空気除菌装置２４の空気除菌装置本体１２０（筐体）が床１６に床置きされている。このように、空気除菌装置本体１２０が機械室１３の床１６に床置きされているため、作業者は、空気除菌装置本体１２０の各種メンテナンスを容易に行うことができる。この空気除菌装置本体１２０には、調和空気導出用チャンバー２１がダクト２５を介して接続されている。このダクト２５の空気除菌装置本体１２０側の一端２５ａは、空気除菌装置本体１２０の天面２４ａの一端に形成された調和空気導入口２６（吸込開口）（図４、図６）に接続されている。利用側ユニット１５において加熱又は冷却された調和空気は、利用側ユニット１５の吹出口２３から上方へ向かって吹き出されると共に、ダクト２２、調和空気導出用チャンバー２１、ダクト２５及び調和空気導入口２６を介して空気除菌装置本体１２０に導入される。
【００１２】
空気除菌装置本体１２０の天面２４ａには、除菌された後の調和空気を導出するための除菌空気導出口２８（図４、図６）が形成され、この除菌空気導出口２８には、供給配管２９の一端２９ａが接続されており、空気除菌装置２４によって除菌された調和空気は、除菌空気導出口２８を介してこの供給配管２９に導出される。
供給配管２９は、一端２９ａから上方へ向かって延出した後、仕切壁１４の高所で、この仕切壁１４を貫通し、パチンコホール１１の天井１１ａに沿った状態で、パチンコホール１１内に延在する。パチンコホール１１内に延在する供給配管２９には、複数の調和空気吹出口９０が間隔を開けて設けられており、この調和空気吹出口９０から空気除菌装置２４よって除菌された調和空気が吹き出されて、パチンコホール１１が空気調和される。
【００１３】
また、機械室１３には、全熱交換部９１が設けられ、この全熱交換部９１は、全熱交換ユニット９２を備えている。この全熱交換ユニット９２は、パチンコホール１１から外部へ排気される空気と、パチンコホール１１の空気調和のため外部から導入した外気との間で熱交換を行うユニットである。
具体的には、全熱交換ユニット９２は、機械室１３と外部とを区分けする建物壁９３に形成された外気導入口９４と、外気導入配管９５を介して接続されている。全熱交換ユニット９２には、これら外気導入口９４及び外気導入配管９５を介して外気が導入される。なお、外気導入配管９５には、ポンプ９６が接続されており、このポンプ９６の駆動に伴って全熱交換ユニット９２に外気が導入される。また、全熱交換ユニット９２には、空気混合ユニット９７と、混合前配管９８を介して接続されている。外気導入配管９５を介して全熱交換ユニット９２に導入された外気は、この混合前配管９８を介して空気混合ユニット９７に導出される。
また、全熱交換ユニット９２は、仕切壁１４に形成された第１室内空気導入口９９と、第１室内空気導入配管１００を介して接続されている。全熱交換ユニット９２には、これら第１室内空気導入口９９及び第１室内空気導入配管１００を介して、パチンコホール１１の空気が導入される。さらに、全熱交換ユニット９２には、建物壁９３に形成された排気口１０１と、排気用配管１０２を介して接続されている。第１室内空気導入口９９及び第１室内空気導入配管１００を介して全熱交換ユニット９２に導入されたパチンコホール１１の空気は、これら排気用配管１０２及び排気口１０１を介して外部へ排気される。
そして、全熱交換ユニット９２では、外気導入配管９５から導入された空気と、第１室内空気導入配管１００から導入された空気との間で熱交換が行われた後、熱交換後の外気導入配管９５から導入された空気は、混合前配管９８に導出されると共に、熱交換後の第１室内空気導入配管１００から導入された空気は、排気用配管１０２に導出される。
【００１４】
上述したように、全熱交換ユニット９２に導入された外気は、混合前配管９８を介して空気混合ユニット９７に導出される。この空気混合ユニット９７は、仕切壁１４に形成された第２室内空気導入口１０３と、第２室内空気導入配管１０４を介して接続されている。また、空気混合ユニット９７は、上述した集塵ユニット１９と、混合後配管１０５を介して接続されている。混合前配管９８を介して空気混合ユニット９７に導入された空気と、第２室内空気導入配管１０４を介して空気混合ユニット９７に導入された空気とは、空気混合ユニット９７内で混合され、混合後配管１０５を介して集塵ユニット１９に導出される。
【００１５】
ここで、空気調和装置１０の冷房運転時及び暖房運転時における基本的な動作について説明する。
まず、冷房運転時について説明する。
冷房運転時、ポンプ９６の駆動に応じて、外気導入口９４及び外気導入配管９５を介して全熱交換ユニット９２に外気が導入される（図２の矢印Ｙ１参照）。全熱交換ユニット９２に導入された外気は、第１室内空気導入配管１００を介して導入されたパチンコホール１１の空気との間で熱交換されて冷却された後、混合前配管９８を介して空気混合ユニット９７に導出される（矢印Ｙ２）。なお、冷房運転時は、パチンコホール１１内が冷却されているため、パチンコホール１１の空気の温度は、外気の温度より低い。従って、全熱交換ユニット９２において、パチンコホール１１の空気によって外気が冷却される。
【００１６】
そして、空気混合ユニット９７において、混合前配管９８を介して導入された外気（矢印Ｙ２）と、第２室内空気導入配管１０４を介して導入されたパチンコホール１１の空気（矢印Ｙ３）とが混合され、この混合された空気が混合後配管１０５を介して集塵ユニット１９に導出される（矢印Ｙ４）。混合後配管１０５を流れる空気は、パチンコホール１１の空気が含まれているため、煙草の煙等の塵埃を含んでいる。
混合後配管１０５を介して集塵ユニット１９に導入された空気は、その塵埃が集塵ユニット１９によって除去された後、ダクト２０を介して利用側ユニット１５に導出される（矢印Ｙ５）。ダクト２０を介して利用側ユニット１５に導入された空気は、蒸発器として機能する熱交換器１７によって冷却された後、ファン１８によって天面１５ａに形成された吹出口２３から上方へ向かって吹き出される。なお、利用側ユニット１５に導入された空気は、全熱交換ユニット９２において冷却された空気と、冷房運転によって冷えたパチンコホール１１の空気とが混合された空気であり、外気よりも低温である。従って、上述した熱源側ユニットの負荷を低減することができ、冷房運転における運転効率の向上を図ることができる。
吹出口２３から吹き出された空気は、ダクト２２を介して調和空気導出用チャンバー２１に導出された後、ダクト２５を介して、空気除菌装置本体１２０の天面２４ａに形成された調和空気導入口２６（図４、図６）から空気除菌装置本体１２０に導入される（矢印Ｙ６）。
【００１７】
このように本実施形態では、利用側ユニット１５の天面１５ａに形成された吹出口２３から上方へ向かって吹き出された調和空気が、ダクト２２，調和空気導出用チャンバー２１及びダクト２５を通った後、空気除菌装置本体１２０の天面２４ａに形成された調和空気導入口２６を介して空気除菌装置本体１２０に導入される構成となっている。従って、機械室１３に、天面１５ａに形成された吹出口２３から上方へ向かって調和空気を吹き出す利用側ユニット１５が配置されている場合において、後から空気除菌装置本体１２０を取り付ける場合、確実に、利用側ユニット１５の調和空気を空気除菌装置本体１２０に導くことができる。さらに、調和空気を導入するための調和空気導入口２６を、空気除菌装置本体１２０の天面２４ａではなく、側面に設けた場合、当該側面に対応する位置に、ダクト２５を接続するためのスペースを確保する必要があるが、本実施形態では、当該スペースを確保する必要がなく、省スペース化を実現できる。
【００１８】
空気除菌装置本体１２０に導入された調和空気は、この空気除菌装置本体１２０において除菌された後、除菌空気導出口２８（図４、図６）を介して上方に向かって吹き出され、供給配管２９に導出される（矢印Ｙ７）。供給配管２９に導入された除菌後の調和空気は、調和空気吹出口９０を介してパチンコホール１１内に吹き出され、パチンコホール１１を冷却する（矢印Ｙ８）。
【００１９】
一方、パチンコホール１１では、パチンコホール１１内の空気が外部へ排気されることにより、随時、換気が行われている。すなわち、空気調和装置１０は、パチンコホール１１内の空気をパチンコホール１１外へ導出すると共に、パチンコホール１１外の空気をパチンコホール１１内へ導入する換気手段を備えている。
具体的には、第１室内空気導入口９９及び第１室内空気導入配管１００を介してパチンコホール１１内の空気が全熱交換ユニット９２に導出される（矢印Ｙ９）。全熱交換ユニット９２に導入されたパチンコホール１１の空気は、全熱交換ユニット９２において、外気導入配管９５を介して導入された空気を冷却した後、排気用配管１０２及び排気口１０１を介して外部へ排気される（矢印Ｙ１０）。
【００２０】
次いで、暖房運転時について説明する。
暖房運転時は、全熱交換ユニット９２において、外気導入配管９５を介して導入されたパチンコホール１１の空気によって、第１室内空気導入配管１００を介して導入された空気を加熱する点で、冷房運転時と異なっている。
また、暖房運転時は、利用側ユニット１５の熱交換器１７が凝縮器として機能し、利用側ユニット１５に導入された空気を加熱する点で、冷房運転時と異なっている。なお、利用側ユニット１５に導入された空気は、全熱交換ユニット９２において加熱された空気と、暖房運転によって暖まったパチンコホール１１の空気とが混合された空気であり、外気よりも高温である。従って、上述した熱源側ユニットの負荷を低減することができ、暖房運転における運転効率の向上を図ることができる。
【００２１】
次いで、空気除菌装置２４の各構成について説明する。
図３は、空気除菌装置２４の概略構成を示す図である。
図３に示すように、空気除菌装置２４は、空気除菌装置本体１２０内に配置される空気除菌部４と空気除菌装置本体１２０に隣接して配置される電解水循環供給部５とを備える。電解水循環供給部５は、除菌能を有する電解水を生成して空気除菌部４に循環供給し、空気除菌部４は、電解水循環供給部５から供給される電解水と空気とを接触させて空気を除菌する。
【００２２】
空気除菌部４は、６つのエレメントユニット４０Ａ、４０Ｂ、４０Ｃ、４０Ｄ、４０Ｅ、４０Ｆを備えている。エレメントユニット４０Ａ〜４０Ｆは、それぞれ、２枚の気液接触部材を組み合わせて構成されており、本実施形態では合わせて１２枚の気液接触部材４１Ａ１〜４１Ｆ２が用いられている。６つのエレメントユニット４０Ａ〜４０Ｆは、後述するように、空気除菌装置本体１２０内に形成された送風路１２０Ａ（図６も併せて参照）のほぼ全面を覆うように並べて配設され、送風路１２０Ａを通過する空気が漏れなく気液接触部材４１Ａ１〜４１Ｆ２を通過する構成となっている。
【００２３】
気液接触部材４１Ａ１〜４１Ｆ２は、送風路１２０Ａを通過する空気に電解水を接触させるための部材であり、これら気液接触部材４１Ａ１〜４１Ｆ２において送風路１２０Ａを流れる空気が所定の活性酸素種を含む電解水に接触することにより、空気中に含まれるウイルス等が不活化されて空気の除菌が行われる。
気液接触部材４１Ａ１〜４１Ｆ２は、ハニカム構造に似た３次元構造を持ったフィルタ部材であり、気体に接触するエレメント部をフレームにより支持する構造を有する。エレメント部は、図示を省略するが、波板状の波板部材と平板状の平板部材とが積層されて構成され、これら波板部材と平板部材との間に略三角状の多数の開口が形成されている。従って、エレメント部に空気を通過させる際の気体接触面積が広く確保され、電解水の滴下が可能で、目詰まりしにくい構造になっている。
【００２４】
エレメント部には、電解水による劣化が少ない素材、例えば、ポリオレフィン系樹脂（ポリエチレン樹脂、ポリプロピレン樹脂等）、ＰＥＴ（ポリエチレン・テレフタレート）樹脂、塩化ビニル樹脂、フッ素系樹脂（ＰＴＦＥ、ＰＦＡ、ＥＴＦＥ等）又はセラミックス系材料等の素材が使用され、本構成では、ＰＥＴ樹脂を用いるものとする。また、エレメント部には親水性処理が施され、電解水に対する親和性が高められており、これによって、気液接触部材４１Ａ１〜４１Ｆ２の電解水の保水性（湿潤性）が保たれ、後述する活性酸素種（活性酸素物質）と空気との接触が長時間持続される。
【００２５】
気液接触部材の数は、空気除菌装置本体１２０の送風路１２０Ａを通過する空気量に応じて決定されるものであり、送風路１２０Ａを通過する空気量と１枚あたりの気液接触部材の除菌能力（気体接触面積）とから好適な数を算出することができ、当該空気を十分に除菌できる数の気液接触部材が空気除菌装置本体１２０に配置される。本実施形態を例に挙げれば、１２枚の気液接触部材４１Ａ１〜４１Ｆ２が用いられる。
【００２６】
また、電解水循環供給部５は、貯水タンク５１と、この貯水タンク５１内の水を電気分解して電解水を生成する電解ユニット５２と、当該貯水タンク５１内の電解水を上記空気除菌部４の各気液接触部材４１Ａ１〜４１Ｆ２にそれぞれ供給するための電解水供給管５６と、この電解水供給管５６上に設けられた送水ポンプ５３と、この送水ポンプ５３の下流側で上記電解水供給管５６から分岐して電解ユニット５２に接続される分岐管５４と、後述するドレンパン４４に流下した水を貯水タンク５１に導く循環水戻り管５５と、上記電解ユニット５２、送水ポンプ５３等の動作を制御する制御部６５と、を備える。
【００２７】
貯水タンク５１には、この貯水タンク５１に市水（水道水）等を供給する給水管５７と、給水弁５８とが接続され、給水弁５８は、貯水タンク５１内に設けられるフロートスイッチＦＳの動作に基づき、制御部６５によって開閉制御される。ここで、給水管５７に接続されて、貯水タンク５１に水を供給する給水源は、市水（水道水）或いは給水槽等に貯留された水等のいずれであってもよい。この給水槽等に貯留される水とは、水道水等のように塩化物イオン等のイオン種が予め含有されている水であってもよいし、井戸水等の塩化物イオンの濃度の希薄な水を使う場合には、この水に塩化物イオンを添加して水道水相当に調整された水であってもよい。本実施形態では、これらを総称して水という。
【００２８】
本構成では、貯水タンク５１には、井戸水等の塩化物イオン濃度の希薄な水を使用した場合であっても、この水に塩化物イオンを添加するために、予め所定の濃度に調整された食塩水タンク５９が設けられ、この食塩水タンク５９に接続される食塩水供給管６０には、供給ポンプ６１と逆止弁６２とを介して貯水タンク５１に接続されている。この供給ポンプ６１は、例えば、電解ユニット５２で検出される導電率に基づいて制御部６５の制御によって動作するように構成されている。
【００２９】
また、本実施形態では、貯水タンク５１の接続口に接続される電解水供給管５６は、６本の電解水供給管５６Ａ〜５６Ｆにそれぞれ分岐され、送水ポンプ５３から送られた電解水が各電解水供給管５６Ａ〜５６Ｆに略均等に分流されるようになっている。電解水供給管５６Ａ〜５６Ｆは、それぞれエレメントユニット４０Ａ〜４０Ｆに対して電解水を供給する。電解水供給管５６Ａ〜５６Ｆにより供給された電解水は、気液接触部材４１Ａ１〜４１Ｆ２に浸潤され、これら気液接触部材４１Ａ１〜４１Ｆ２から流下してドレンパン４４に集められ、循環水戻り管５５を介して貯水タンク５１に戻る。
【００３０】
電解ユニット５２は、貯水タンク５１の側面に固定配置されている。具体的には、電解ユニット５２は、有底円筒形状のケース体７１と、このケース体７１内に収納される少なくとも一対の電極７２、７３とを備え、これら電極７２、７３間に電圧を印加することにより、水を電気分解して活性酸素種を含む電解水を生成させる。
ここで、活性酸素種とは、通常の酸素よりも高い酸化活性を持つ酸素分子と、その関連物質のことであり、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。
【００３１】
電極７２、７３は、例えば、ベースがチタン（Ｔｉ）で皮膜層がイリジウム（Ｉｒ）、白金（Ｐｔ）から構成された２枚の電極板である。
上記電極７２、７３間に電圧を印加すると、カソード電極（陰極）では、下記式（１）に示すように反応する。
２Ｈ2Ｏ＋２ｅ-→Ｈ2＋２ＯＨ-    ・・・（１）
アノード電極（陽極）では、下記式（２）に示すように反応する。
２Ｈ2Ｏ→Ｏ2＋４Ｈ+＋４ｅ-    ・・・（２）
これらカソード電極及びアノード電極での反応を合わせると、下記式（３）に示すように水が電気分解される。
２Ｈ2Ｏ→２Ｈ2＋Ｏ2    ・・・（３）
この反応とともに、アノード電極においては、水に含まれる塩素イオン（塩化物イオン：Ｃｌ-）が下記式（４）に示すように反応し、塩素（Ｃｌ2）が発生する。
２Ｃｌ-→Ｃｌ2＋２ｅ-    ・・・（４）
さらに、この塩素は下記式（５）に示すように水と反応し、次亜塩素酸（ＨＣｌＯ）と塩化水素（ＨＣｌ）が発生する。
Ｃｌ2＋Ｈ2Ｏ→ＨＣｌＯ＋ＨＣｌ    ・・・（５）
【００３２】
アノード電極で発生した次亜塩素酸（広義の活性酸素種）は、強力な酸化作用や漂白作用を有する。次亜塩素酸が溶解した水溶液、すなわち電解ユニット５２により生成される電解水は、ウイルス等の不活化、殺菌、有機化合物の分解等、種々の空気清浄効果を発揮する。このように、次亜塩素酸を含む電解水が電解水供給管５６Ａ〜５６Ｆを流れ、散水ボックス４２Ａ１〜４２Ｆ２（図５）を介して気液接触部材４１Ａ１〜４１Ｆ２に滴下されると、空気除菌装置本体１２０に導入された空気が気液接触部材４１Ａ１〜４１Ｆ２において次亜塩素酸と接触する。これにより、空気中に浮遊するウイルス等が不活化されるとともに、当該空気に含まれる臭気物質が次亜塩素酸と反応して分解され、或いはイオン化して溶解する。従って、空気の除菌及び脱臭がなされ、清浄化された空気が気液接触部材４１Ａ１〜４１Ｆ２から排出される。
【００３３】
活性酸素種によるウイルス等の不活化の作用機序として、インフルエンザウイルスの例を挙げる。上述した活性酸素種は、インフルエンザウイルスの感染に必須とされるウイルスの表面蛋白（スパイク）を破壊、消失（除去）する作用を有する。この表面蛋白が破壊された場合、インフルエンザウイルスと、インフルエンザウイルスが感染するのに必要な受容体（レセプタ）とが結合しなくなり、感染が阻止される。このため、空気中に浮遊するインフルエンザウイルスは、気液接触部材４１Ａ１〜４１Ｆ２において活性酸素種を含む電解水に接触することにより、感染力を失うこととなり、感染が阻止される。
【００３４】
従って、空気除菌装置本体１２０に気液接触部材４１Ａ１〜４１Ｆ２を備えたエレメントユニット４０Ａ〜４０Ｆ配置することにより、この空気除菌装置本体１２０を通過する空気が気液接触部材４１Ａ１〜４１Ｆ２で除菌され、この除菌された空気をパチンコホール１１内で広く行き渡らせることが可能となり、大空間施設内での空気除菌及び脱臭を容易に、効率良く行うことができる。
【００３５】
ここで、電解ユニット５２内の電極７２、７３のうち任意の側に正電位を与えるための電極の切り替えは、電極の極性を反転させることで行うことができ、本実施形態では、制御部６５によって電極７２、７３に印加する電圧を変化（反転）させることにより、実行可能である。
【００３６】
また、電解水中の活性酸素種の濃度は、制御部６５の制御下、除菌するウイルス等を不活化させる濃度となるように調整される。活性酸素種の濃度の調整は、電極７２、７３間に印加する電圧を調整して、電極７２、７３間に流す電流値を調整することにより行われる。
例えば、電極７２に正の電位を与えて、電極７２、７３間に流れる電流値を、電流密度で２０ｍＡ（ミリアンペア）／ｃｍ2（平方センチメートル）とすると、所定の遊離残留塩素濃度（例えば１ｍｇ（ミリグラム）／ｌ（リットル））を発生させる。また、電極７２、７３間に印加する電圧を変更して、電流値を高くすることで、電解水中の次亜塩素酸の濃度を高い濃度に調整できる。
【００３７】
また、貯水タンク５１には、サイホン方式で排水できる排水管６７が設けられている。この排水管６７は、貯水タンク５１の底部から上方に延びる第１鉛直部６７Ａと、この第１鉛直部６７Ａに連なり略水平方向に延びる水平部６７Ｂと、この水平部６７Ｂに連なりタンク外で下方に延びる第２鉛直部６７Ｃとを備える。この水平部６７Ｂは、通常の貯水タンク５１内の制御水位よりも若干高い位置に設けられており、この高さ位置まで水を供給することにより、排水管６７内は真空となるため、サイホンの原理によって貯水タンク５１内の水が排出される。この構成では、排水バルブが不要となるためコストダウンが図れるとともに、サイホン方式によって排水速度を向上させることができる。
【００３８】
図４は、空気除菌装置本体１２０の詳細構成を示す斜視図であり、空気除菌装置本体１２０内の構成を図示した透視図である。図５はエレメントユニット４０Ａ〜４０Ｆの詳細構成を示す分解斜視図であり、図６は空気除菌装置本体１２０におけるエレメントユニット４０Ａ〜４０Ｆの配置状態を示す要部平面図である。
図４に示すように、空気除菌装置本体１２０には、６つのエレメントユニット４０Ａ〜４０Ｆが、上下方向に並べてひな壇状に配置され、これらエレメントユニット４０Ａ〜４０Ｆに電解水を供給する電解水供給管５６、及び、エレメントユニット４０Ａ〜４０Ｆから流下した電解水を貯水タンク５１（図３）に戻す循環水戻り管５５が、空気除菌装置本体１２０の床に配設されている。
【００３９】
電解水供給管５６は、空気除菌装置本体１２０の外部に位置する貯水タンク５１から、外装管５０Ａに包まれて空気除菌装置本体１２０まで引き込まれ、空気除菌装置本体１２０内で分岐コネクタ５０Ｃにより電解水供給管５６Ａ〜５６Ｆに分岐される。また、分岐コネクタ５０Ｃの上流において電解水供給管５６には流量調整弁５０Ｂが取り付けられ、エレメントユニット４０Ａ〜４０Ｆに供給される電解水の流量を調整可能である。分岐コネクタ５０Ｃにより６本に分岐された電解水供給管５６は、３本ずつまとめられて断熱材ホース５０Ｄの中を通され、エレメントユニット４０Ａ〜４０Ｆに接続される。空気除菌装置本体１２０の内部には、空気除菌装置本体１２０内の気流による断熱材ホース５０Ｄの振動を防止するため、各々断熱材ホース５０Ｄを支持する２本の振動防止金具５０Ｅが取り付けられている。
【００４０】
空気除菌装置本体１２０の内部には、その外壁に設けられた外部点検口１２５からアクセスすることが可能である。外部点検口１２５の内側には内部壁１２６が設けられ、この内部壁１２６に設けられた内部点検口１２７から、空気除菌装置本体１２０の送風空間に達することができる。この二重壁構造は、大量の空気が送風される送風路を外部から確実に分離するための構成である。
【００４１】
図５の分解斜視図に示すように、エレメントユニット４０Ａ〜４０Ｆは、２枚の気液接触部材に各種部材を組み付けて構成される。
具体的には、エレメントユニット４０Ａは、板状の気液接触部材４１Ａ１、４１Ａ２を長手方向に連結して、横長の板状のユニットとして構成される。気液接触部材４１Ａ１、４１Ａ２は、その長手方向に沿って延びる連結部材３３Ａによって固定されてユニットとなる。気液接触部材４１Ａ１、４１Ａ２の各々の上部には、気液接触部材４１Ａ１、４１Ａ２に均一に電解水を分散させるための散水ボックス４２Ａ１、４２Ａ２が組み付けられている。散水ボックス４２Ａ１、４２Ａ２は、電解水を一時的に貯留するトレー部材を備え、このトレー部材の側面に複数の散水孔（図示略）が開口し、この散水孔から気液接触部材４１Ａ１、４１Ａ２に対して電解水を滴下するようになっている。散水ボックス４２Ａ１、４２Ａ２には、電解水供給管５６Ａが分岐して接続され、電解水が供給される。
また、気液接触部材４１Ａ１、４１Ａ２の上面には、散水ボックス４２Ａ１、４２Ａ２から滴下される電解水をエレメント部に効率よく分散させるため、分流シート（図示略）が配設されている。この分流シートは、液体の浸透性を有する繊維材料からなるシート（織物、不織布等）であり、気液接触部材４１Ａ１、４１Ａ２の厚み方向断面に沿って一または複数設けられる。
また、気液接触部材４１Ａ１、４１Ａ２の下部には、これら気液接触部材４１Ａ１、４１Ａ２から流下した水を受ける電解水トレー４３Ａが取り付けられている。電解水トレー４３Ａの底面には、当該電解水トレー４３Ａで受けた水をドレンパン４４に導くドレンホース４５Ａが取り付けられている。
【００４２】
そして、これら気液接触部材４１Ａ１、４１Ａ２、散水ボックス４２Ａ１、４２Ａ２、電解水トレー４３Ａ、及び連結部材３３Ａは、一体となって、固定部材３１Ａ、３２Ａによって空気除菌装置本体１２０内に固定される。固定部材３１Ａは空気除菌装置本体１２０の内壁に固定され、固定部材３２Ａは空気除菌装置本体１２０に固定された台座３６（図４）にネジ留めされる。これら固定部材３１Ａ、３２Ａは気液接触部材４１Ａ１、４１Ａ２と空気除菌装置本体１２０の内壁面との間を閉塞する。
同様に、エレメントユニット４０Ｂは、２枚の気液接触部材４１Ｂ１、４１Ｂ２、２つの散水ボックス４２Ｂ１、４２Ｂ２、電解水トレー４３Ｂ、及び連結部材３３Ｂを組み合わせて構成され、固定部材３１Ｂ、３２Ｂによって空気除菌装置本体１２０内に固定され、エレメントユニット４０Ｃ〜４０Ｆについても、それぞれ、２枚の気液接触部材４１Ｃ１〜４１Ｆ１、４１Ｃ２〜４１Ｆ２、２つの散水ボックス４２Ｃ１〜４２Ｆ１、４２Ｃ２〜４２Ｆ２、電解水トレー４３Ｃ〜４３Ｆ、及び連結部材３３Ｃ〜３３Ｆを組み合わせて構成され、固定部材３１Ｃ〜３１Ｆ、３２Ｃ〜３２Ｆによって空気除菌装置本体１２０内に固定される。
【００４３】
また、エレメントユニット４０Ｂの上端とエレメントユニット４０Ａとに跨って導風板４７Ａが取り付けられており、この導風板４７Ａによって、エレメントユニット４０Ａとエレメントユニット４０Ｂとの間が閉塞されている。同様に、エレメントユニット４０Ｂとエレメントユニット４０Ｃとの間は導風板４７Ｂにより閉塞され、エレメントユニット４０Ｃとエレメントユニット４０Ｄとの間は導風板４７Ｃにより閉塞され、エレメントユニット４０Ｄとエレメントユニット４０Ｅとの間は導風板４７Ｄにより閉塞され、エレメントユニット４０Ｅとエレメントユニット４０Ｆとの間は導風板４７Ｅにより閉塞されている。
【００４４】
図４に示すように、エレメントユニット４０Ａ〜４０Ｆの下方には、エレメントユニット４０Ａ〜４０Ｆからドレンホース４５Ａ〜４５Ｆを介して流れた電解水を集めるドレンパン４４が配設され、ドレンパン４４には循環水戻り管５５が接続されている。
また、このドレンパン４４とは別に、エレメントユニット４０Ａ〜４０Ｆが配設された領域の床面には底部ドレンパン４６が配設されている。底部ドレンパン４６は、エレメントユニット４０Ａ〜４０Ｆから飛散するなどして、電解水トレー４３Ａ〜４３Ｆの外へ出た電解水を受けて貯留する略長方形の受け皿状部材であり、エレメントユニット４０Ａ〜４０Ｆの真下を含む広い領域を覆うように配設されている。底部ドレンパン４６にはドレン水配管４８が接続され、ドレン水配管４８の先端は、空気除菌装置本体１２０外の排水管（図示略）等に接続されており、底部ドレンパン４６に溜まった水はドレン水配管４８を通して系外へ排水される。また、ドレンパン４４は底部ドレンパン４６の上に配置されている。
【００４５】
また、エレメントユニット４０Ａ〜４０Ｆの下流側にはエリミネータ８１が配設されている。エリミネータ８１は、所定の通風抵抗を有するフィルタ状部材であり、例えば、合成樹脂製のスポンジや不織布で構成される。
エリミネータ８１は、ブラケット８２によって空気除菌装置本体１２０の内壁に固定された枠８３に嵌め込まれ、押さえ金具８４によって枠８３から脱落しないよう支持される。エリミネータ８１の下流側は、除菌空気導出用チャンバー１２１となっている。エリミネータ８１は、除菌空気導出用チャンバー１２１へ流れる風に抵抗を与えることにより、気液接触部材４１Ａ１〜４１Ｆ２を通過する風の速度を抑制して、気液接触部材４１Ａ１〜４１Ｆ２からの電解水の飛散を予防する等の効果がある。エリミネータ８１は、底部ドレンパン４６の上方に位置するように配置されている。
【００４６】
エレメントユニット４０Ａ〜４０Ｆは、図４に示すように上下に並べて配列される。
そして、送風路１２０Ａの下部領域を覆うエレメントユニット（例えば、エレメントユニット４０Ｆ）は、上部領域を覆うエレメントユニット４０（例えば、エレメントユニット４０Ａ）よりも、図６に示すように、送風路１２０Ａの上流側に順次ずらして配列されている。すなわち、６つのエレメントユニット４０Ａ〜４０Ｆは、高さ方向においてエレメントユニット４０Ｆ〜４０Ａの順に下から上へ並べて配置され、送風方向においてはエレメントユニット４０Ｆ〜４０Ａの順に上流から下流へ並べて配置されている。
この構成によれば、送風路１２０Ａの面積よりも総面積が広い複数の気液接触部材４１Ａ１、Ａ２〜４１Ｆ１、Ｆ２を、送風路１２０Ａにまとまりよく配列することができ、送風路１２０Ａに配列された当該気液接触部材４１Ａ１、Ａ２〜４１Ｆ１、Ｆ２の除菌能力の向上を図ることができる。
【００４７】
上述したように、利用側ユニット１５の調和空気は、利用側ユニット１５の天面１５ａに形成された吹出口２３から上方へ向かって吹き出された後、ダクト２２、調和空気導出用チャンバー２１、ダクト２５、及び、空気除菌装置本体１２０の天面２４ａの一端に形成された調和空気導入口２６を介して、空気除菌装置本体１２０に導入される。空気除菌装置本体１２０の導入された空気は、図６に示すように、除菌空気導出用チャンバー１２１に向かって流れる。この送風方向は、図６中に矢印で示すように、空気除菌装置本体１２０の長手方向に沿った向きである。
【００４８】
そして、調和空気は、気液接触部材４１Ａ１〜４１Ｆ２を通過し、これら気液接触部材４１Ａ１〜４１Ｆ２によって除菌された後、エリミネータ８１を介して、除菌空気導出用チャンバー１２１へ導出される。
除菌空気導出用チャンバー１２１に導入された除菌後の調和空気は、除菌空気導出用チャンバー１２１の天面に形成された除菌空気導出口２８、つまり、空気除菌装置本体１２０の天面２４ａの他端に形成された吹出開口、を介して供給配管２９に導出され、上述したように、供給配管２９に形成された調和空気吹出口９０からパチンコホール１１内に供給される。
これにより、除菌後の調和空気がパチンコホール１１内に供給され、パチンコホール１１の空気調和と、パチンコホール１１の空気の除菌が同時に行われる。
【００４９】
以上説明したように、本実施形態では、機械室１３の利用側ユニット１５（空気調和機）に隣接させて空気除菌装置本体１２０を床置きし、利用側ユニット１５の天面１５ａの吹出口２３から吹き出される調和空気を空気除菌装置本体１２０の天面２４ａから空気除菌装置本体１２０内に導き、空気除菌装置本体１２０で除菌して、供給配管２９に供給自在としている。
これによれば、空気除菌装置本体１２０によって除菌した調和空気をパチンコホール１１の店舗に供給することが可能となり、パチンコホール１１の空気調和と同時に、パチンコホール１１の空気の除菌が可能となる。
【００５０】
また、本実施形態では、空気除菌装置本体１２０では、内部にひな壇状に気液接触部材４１Ａ１〜４１Ｆ２を配置し、空気除菌装置本体１２０の天面２４ａの一端に空気調和機の調和空気を導入するための調和空気導入口２６（吸込開口）を備え、天面２４ａの他端に気液接触部材４１Ａ１〜４１Ｆ２を通過して除菌した空気を供給配管２９に吹き出す除菌空気導出口２８（吹出開口）を備える。
これによれば、調和空気の効率的な除菌が可能となる。
【００５１】
また、本実施形態に係る空気調和装置１０は、パチンコホール１１内の空気をパチンコホール１１外へ導出すると共に、パチンコホール１１外の空気をパチンコホール１１内へ導入する換気手段を備え、機械室１３に、全熱交換ユニット９２を設けた。
この構成によれば、パチンコホール１１の換気の実行中、全熱交換ユニット９２によって、空調負荷を軽減し、効率のよい空気調和を実現することができる。
【００５２】
なお、上述した実施の形態は、あくまでも本発明の一態様を示すものであり、本発明の範囲内で任意に変形および応用が可能である。
上述した実施形態では、大空間の店舗としてパチンコホール１１を例にして説明したが、大空間の店舗はこれに限らず、映画館、ショッピングセンター等であってもよい。
【図面の簡単な説明】
【００５３】
【図１】本実施形態に係る空気調和装置の構成を示す図である。
【図２】図１において、機械室を拡大した図である。
【図３】空気除菌装置の構成を示す図である。
【図４】空気除菌装置本体の斜視図である。
【図５】エレメントユニットの分解斜視図である。
【図６】空気除菌装置本体におけるエレメントユニットの配置状態を示す要部平面図である。
【符号の説明】
【００５４】
１０  空気調和装置
１１  パチンコホール（大空間の店舗）
１３  機械室
１５  利用側ユニット（空気調和機）
１５ａ  天面（空気調和機の天面）
１６  床
２３  吹出口
２４  空気除菌装置
２４ａ  天面（空気除菌装置の天面）
２６  調和空気導入口（吸込開口）
２８  除菌空気導出口（吹出開口）
２９  供給配管
４１Ａ１、４１Ｂ１、４１Ｃ１、４１Ｄ１、４１Ｅ１、４１Ｆ１、４１Ａ２、４１Ｂ２、４１Ｃ２、４１Ｄ２、４１Ｅ２、４１Ｆ２  気液接触部材
９２  全熱交換ユニット
１２０  空気除菌装置本体
【図１】
2010236742.tif 000003
【図２】
2010236742.tif 000004
【図３】
2010236742.tif 000005
【図４】
2010236742.tif 000006
【図５】
2010236742.tif 000007
【図６】
2010236742.tif 000008